(57)【要約】【課題】本発明は、パワーオンする瞬間に生じる雑音を除去することができる静音制御回路及び該静音制御回路を有する電子装置を提供することを目的とする。【解決手段】本発明に係る電子装置は、処理ユニット、静音制御回路、オーディオアンプ及びオーディオ出力インターフェースユニットを備え、前記オーディオアンプは、前記電子装置が生成するオーディオ信号を増幅し、且つ増幅されたオーディオ信号を前記オーディオ出力インターフェースユニットに出力し、前記処理ユニットは、静音制御信号を出力し、前記静音制御回路は、前記静音制御信号によって前記オーディオアンプを制御して静音状態と再生状態との間で切替させるメイン回路と、前記電子装置にパワーオンする瞬間、前記オーディオアンプの出力を接地により釈放させて、前記オーディオアンプと前記オーディオ出力インターフェースユニットとの間の通信を切る補助回路と、を備える。【選択図】図１
2012023726.tif 000002
【特許請求の範囲】
【請求項１】
処理ユニット、静音制御回路、オーディオアンプ及びオーディオ出力インターフェースユニットを備える電子装置であって、
前記オーディオアンプは、前記電子装置が生成するオーディオ信号を増幅し、且つ増幅されたオーディオ信号を前記オーディオ出力インターフェースユニットに出力し、
前記処理ユニットは、静音制御信号を出力し、
前記静音制御回路は、前記静音制御信号によって前記オーディオアンプを制御して静音状態と再生状態との間で切替させるメイン回路と、前記電子装置にパワーオンする瞬間、前記オーディオアンプの出力を接地により釈放させて、前記オーディオアンプと前記オーディオ出力インターフェースユニットとの間の通信を切る補助回路と、を備えることを特徴とする電子装置。
【請求項２】
前記メイン回路は、前記処理ユニットに電気的に接続され、
前記オーディオアンプは、静音制御ポート及びオーディオ信号出力ポートを備え、
前記静音制御ポートは、前記メイン回路に電気的に接続されて、前記メイン回路から出力される信号を受信し、前記メイン回路が前記オーディオアンプを制御して静音状態又は再生状態になるようにし、
前記オーディオ信号出力ポートは、増幅されたオーディオ信号を前記オーディオ出力インターフェースユニット出力し、
前記補助回路の一端は、前記メイン回路に電気的に接続され、前記補助回路の他端は、前記オーディオ信号出力ポートと前記オーディオ出力インターフェースユニットとの間に電気的に接続されることを特徴とする請求項１に記載の電子装置。
【請求項３】
前記メイン回路は、電源、第一レジスター、第二レジスター、第一トランジスター、第一ダイオード及び第三レジスターを備え、
前記第一レジスターの一端は、前記電源に電気的に接続され、前記第一レジスターの他端は、前記処理ユニットに電気的に接続され、
前記第二レジスターの一端は、前記処理ユニットと前記第一レジスターとの間に電気的に接続され、前記第二レジスターの他端は、前記第一トランジスターのベースに電気的に接続され、
前記第一トランジスターのエミッタは、前記電源に電気的に接続され、前記第一トランジスターのコレクタは、前記第一ダイオードの陽極に電気的に接続され、
前記第一ダイオードの陰極は、前記静音制御ポートに電気的に接続され、
前記第三レジスターの一端は、前記静音制御ポートに電気的に接続され、前記第三レジスターの他端は、電気的に接地されることを特徴とする請求項２に記載の電子装置。
【請求項４】
前記補助回路は、第二ダイオード、第四レジスター、第二トランジスター及びキャパシターを備え、
前記第二ダイオードの陽極は、前記第一トランジスターのコレクタに電気的に接続され、前記第二ダイオードの陰極は、前記第四レジスターを介して前記第二トランジスターのベースに電気的に接続され
前記第二トランジスターのエミッタは、電気的に接地され、前記第二トランジスターのコレクタは、前記オーディオ信号出力ポートに電気的に接続され、
前記キャパシターの一端は、前記第二トランジスターのコレクタに電気的に接続され、前記キャパシターの他端は、前記第二トランジスターのエミッタに電気的に接続されることを特徴とする請求項３に記載の電子装置。
【請求項５】
処理ユニット、オーディオアンプ及びオーディオ出力インターフェースユニットを備える電子装置に応用される静音制御回路であって、
前記オーディオアンプは、前記電子装置が生成するオーディオ信号を増幅し、且つ増幅されたオーディオ信号を前記オーディオ出力インターフェースユニットに出力し、
前記処理ユニットは、静音制御信号を出力し、
前記静音制御回路は、前記静音制御信号によって前記オーディオアンプを制御して静音状態と再生状態との間で切替させるメイン回路と、前記電子装置にパワーオンする瞬間、前記オーディオアンプの出力を接地により釈放させて、前記オーディオアンプと前記オーディオ出力インターフェースユニットとの間の通信を切る補助回路と、を備えることを特徴とする静音制御回路。
【請求項６】
前記オーディオアンプは、静音制御ポート及びオーディオ信号出力ポートを備え、
前記静音制御ポートは、前記メイン回路に電気的に接続されて、前記メイン回路から出力される信号を受信し、前記メイン回路が前記オーディオアンプを制御して静音状態又は再生状態になるようにし、
前記オーディオ信号出力ポートは、増幅されたオーディオ信号を前記オーディオ出力インターフェースユニット出力し、
前記補助回路の一端は、前記メイン回路に電気的に接続され、前記補助回路の他端は、前記オーディオ信号出力ポートと前記オーディオ出力インターフェースユニットとの間に電気的に接続され、
前記メイン回路は、電源、第一レジスター、第二レジスター、第一トランジスター、第一ダイオード及び第三レジスターを備え、
前記第一レジスターの一端は、前記電源に電気的に接続され、前記第一レジスターの他端は、前記処理ユニットに電気的に接続され、
前記第二レジスターの一端は、前記処理ユニットと前記第一レジスターとの間に電気的に接続され、前記第二レジスターの他端は、前記第一トランジスターのベースに電気的に接続され、
前記第一トランジスターのエミッタは、前記電源に電気的に接続され、前記第一トランジスターのコレクタは、前記第一ダイオードの陽極に電気的に接続され、
前記第一ダイオードの陰極は、前記静音制御ポートに電気的に接続され、
前記第三レジスターの一端は、前記静音制御ポートに電気的に接続され、前記第三レジスターの他端は、電気的に接地されることを特徴とする請求項５に記載の静音制御回路。
【請求項７】
前記補助回路は、第二ダイオード、第四レジスター、第二トランジスター及びキャパシターを備え、
前記第二ダイオードの陽極は、前記第一トランジスターのコレクタに電気的に接続され、前記第二ダイオードの陰極は、前記第四レジスターを介して前記第二トランジスターのベースに電気的に接続され
前記第二トランジスターのエミッタは、電気的に接地され、前記第二トランジスターのコレクタは、前記オーディオ信号出力ポートに電気的に接続され、
前記キャパシターの一端は、前記第二トランジスターのコレクタに電気的に接続され、前記キャパシターの他端は、前記第二トランジスターのエミッタに電気的に接続されることを特徴とすることを特徴とする請求項６に記載の静音制御回路。
【発明の詳細な説明】
【技術分野】
【０００１】
本発明は、静音制御回路及び該静音制御回路を有する電子装置に関するものである。
【背景技術】
【０００２】
電子装置、例えばＤＶＤ、ＭＰ３、ＭＰ４などのマルチメディアプレーヤーは、処理ユニットと、静音制御回路と、オーディオアンプと、オーディオ出力インターフェースユニットと、を備える。前記オーディオアンプは、前記電子装置から生じるオーディオ信号を増幅し、且つ増幅されたオーディオ信号を前記オーディオ出力インターフェースユニットに出力する。前記処理ユニットは、静音制御信号を出力する。前記静音制御回路は、前記静音制御信号によって、前記オーディオアンプを制御して静音状態と再生状態との間で切替させる。
【発明の概要】
【発明が解決しようとする課題】
【０００３】
しかし、前記電子装置にパワーオンする瞬間、前記処理ユニットの作動電圧はすぐ起こらないので、前記静音制御信号の出力が遅れて、前記静音制御回路は前記オーディオアンプに対する静音制御を失う。したがって、パワーオンする瞬間、前記電子装置に常に突然変異する直流電流が生じ、且つ前記オーディオ出力インターフェースユニットに差し込まれるスピーカーのような外部再生設備に流れて、前記外部再生設備から雑音を出す。
【０００４】
本発明の目的は、前記課題を解決し、パワーオンする瞬間に生じる雑音を除去することができる静音制御回路及び該静音制御回路を有する電子装置を提供することである。
【課題を解決するための手段】
【０００５】
本発明に係る電子装置は、処理ユニット、静音制御回路、オーディオアンプ及びオーディオ出力インターフェースユニットを備え、前記オーディオアンプは、前記電子装置が生成するオーディオ信号を増幅し、且つ増幅されたオーディオ信号を前記オーディオ出力インターフェースユニットに出力し、前記処理ユニットは、静音制御信号を出力し、前記静音制御回路は、前記静音制御信号によって前記オーディオアンプを制御して静音状態と再生状態との間で切替させるメイン回路と、前記電子装置にパワーオンする瞬間、前記オーディオアンプの出力を接地により釈放させて、前記オーディオアンプと前記オーディオ出力インターフェースユニットとの間の通信を切る補助回路と、を備える。
【０００６】
本発明に係る静音制御回路は、処理ユニット、オーディオアンプ及びオーディオ出力インターフェースユニットを備える電子装置に応用され、前記オーディオアンプは、前記電子装置が生成するオーディオ信号を増幅し、且つ増幅されたオーディオ信号を前記オーディオ出力インターフェースユニットに出力し、前記処理ユニットは、静音制御信号を出力し、前記静音制御回路は、前記静音制御信号によって前記オーディオアンプを制御して静音状態と再生状態との間で切替させるメイン回路と、前記電子装置にパワーオンする瞬間、前記オーディオアンプの出力を接地により釈放させて、前記オーディオアンプと前記オーディオ出力インターフェースユニットとの間の通信を切る補助回路と、を備える。
【発明の効果】
【０００７】
従来の技術に比べて、本発明の静音制御回路及び該静音制御回路を有する電子装置は、補助回路を設置することにより、パワーオンする瞬間、オーディオアンプが出力する信号は接地により釈放されて出力インターフェースユニットに伝送されなく、前記電子装置に接続される外部再生設備から雑音が出さない。
【図面の簡単な説明】
【０００８】
【図１】本発明の実施形態に係る静音制御回路を有する電子装置の機能ブロック図である。
【図２】図１に示す静音制御回路の回路図である。
【発明を実施するための形態】
【０００９】
以下、図面を参照して、本発明の実施形態について説明する。
【００１０】
図１は、本発明の実施形態に係る電子装置１００の機能ブロック図である。本実施形態において、前記電子装置１００は、ＤＶＤであるが、他の実施形態において、前記電子装置１００は、ＭＰ３、ＭＰ４などのオーディオプレーヤーであることができる。前記電子装置１００は、処理ユニット１０と、静音制御回路２０と、オーディオアンプ３０と、オーディオ出力インターフェースユニット４０と、を備える。
【００１１】
前記処理ユニット１０は、静音制御信号を出力する。前記静音制御信号は、高レベル信号又は低レベル信号である。本実施形態において、前記静音制御信号は、低レベル信号である。
【００１２】
前記オーディオアンプ３０は、前記電子装置１００が生成するオーディオ信号を増幅し、且つ増幅されたオーディオ信号を出力する。本実施形態において、前記オーディオアンプ３０は、オーディオ信号を増幅する機能を有したオーディオアンプＩＣである。前記オーディオアンプ３０は、静音制御ポート３１及びオーディオ信号出力ポート３３を備える。本実施形態において、前記電子装置１００が正常に作動し且つ前記処理ユニット１０が高レベル信号を出力する場合、前記静音制御ポート３１を高レベル有効に設置して、前記静音制御ポート３１が高レベル信号を受信すると、前記オーディオアンプ３０は静音状態になり、前記静音制御ポート３１が低レベル信号を受信すると、前記オーディオアンプ３０は再生状態（非静音状態）になる。前記電子装置１００が正常に作動し且つ前記処理ユニット１０は低レベル信号を出力する場合、前記静音制御ポート３１を低レベル有効に設置することもできる。前記オーディオ信号出力ポート３３は、静音状態で増幅されたオーディオ信号を出力せず、再生状態で増幅されたオーディオ信号を出力する。
【００１３】
前記オーディオ出力インターフェースユニット４０は、前記オーディオアンプ３０のオーディオ信号出力ポート３３に電気的に接続されて、増幅されたオーディオ信号を受信する。前記オーディオ出力インターフェースユニット４０は、増幅されたオーディオ信号を前記電子装置１００の内部からイヤホン、スピーカー、音響などの外部再生設備に伝送するために用いられる。前記オーディオ出力インターフェースユニット４０は、前記外部再生設備を差し込むためのオーディオ差込口である。
【００１４】
前記静音制御回路２０は、前記処理ユニット１０、前記オーディオアンプ３０及び前記オーディオ出力インターフェースユニット４０に電気的に接続される。前記静音制御回路２０は、前記静音制御信号によって前記オーディオアンプ３０を制御して静音状態と再生状態との間で切替させる。前記静音制御回路２０は、メイン回路２１及び補助回路２３を備える。
【００１５】
前記メイン回路２１は、前記処理ユニット１０と前記オーディオアンプ３０との間に電気的に接続されて、前記電子装置１００を静音状態と再生状態との間で切替させる。前記補助回路２３の一端は、前記メイン回路２１に電気的に接続され、前記補助回路２３の他端は、前記オーディオアンプ３０と前記オーディオ出力インターフェースユニット４０との間に電気的に接続されて、前記電子装置１００にパワーオンする瞬間、前記オーディオアンプ３０が出力する信号を接地により釈放させて、前記オーディオアンプ３０から前記オーディオ出力インターフェースユニット４０にオーディオ信号を出力することを防止し、従って前記電子装置１００に接続された外部再生設備がパワーオンする瞬間に雑音を出すことを免れる。
【００１６】
図２に示したように、前記メイン回路２１は、電源Ｖｃｃ、第一レジスターＲ１、第二レジスターＲ２、第一トランジスターＱ１、第一ダイオードＤ１、第一キャパシターＣ１及び第三レジスターＲ３を備える。前記第一レジスターＲ１の一端は、前記電源Ｖｃｃに電気的に接続され、前記第一レジスターＲ１の他端は、前記処理ユニット１０に電気的に接続される。前記第二レジスターＲ２の一端は、前記処理ユニット１０と前記第一レジスターＲ１との間に電気的に接続され、前記第二レジスターＲ２の他端は、前記第一トランジスターＱ１のベースに電気的に接続される。前記第一トランジスターＱ１のエミッタは、前記電源Ｖｃｃに電気的に接続され、前記第一トランジスターＱ１のコレクタは、前記第一ダイオードＤ１の陽極に電気的に接続される。前記第一ダイオードＤ１の陰極は、前記オーディオアンプ３０の静音制御ポート３１に電気的に接続される。前記第一キャパシターＣ１の一端は、前記静音制御ポート３１に電気的に接続され、前記第一キャパシターＣ１の他端は、電気的に接地する。前記第三レジスターＲ３の一端は、前記静音制御ポート３１に電気的に接続され、前記第三レジスターＲ３の他端は、電気的に接地する。
【００１７】
前記補助回路２３は、第二ダイオードＤ２、第四レジスターＲ４、第二トランジスターＱ２及び第二キャパシターＣ２を備える。前記第二ダイオードＤ２の陽極は、前記第一トランジスターＱ１のコレクタに電気的に接続され、前記第二ダイオードＤ２の陰極は、前記第四レジスターＲ４を介して前記第二トランジスターＱ２のベースに電気的に接続される。前記第二トランジスターＱ２のエミッタは、電気的に接地し、前記第二トランジスターＱ２のコレクタは、前記オーディオアンプ３０のオーディオ信号出力ポート３３に電気的に接続される。前記第二キャパシターＣ２の一端は、前記第二トランジスターＱ２のコレクタに電気的に接続され、前記第二キャパシターＣ２の他端は、前記第二トランジスターＱ２のエミッタに電気的に接続される。前記電子装置１００にパワーオンする瞬間、前記オーディオ信号出力ポート３３が出力する信号は、前記第二キャパシターＣ２を介して接地に釈放されるので、前記オーディオアンプ３０がパワーオンする瞬間に前記オーディオ出力インターフェースユニット４０にオーディオ信号を出力することを防止し、前記電子装置１００に接続された外部再生設備がパワーオンする瞬間に雑音を出すことを免れる。
【００１８】
前記第一レジスターＲ１は、電位を引き上げるために用いられる。前記第三レジスターＲ３は、電位を引き下げるために用いられる。前記第二レジスターＲ２及び前記第四レジスターＲ４は、電流を制御するために用いられる。前記第一キャパシターＣ１及び前記第二キャパシターＣ２は、フィルタリングするために用いられる。前記第一トランジスターＱ１及び前記第二トランジスターＱ２は、スイッチの作用を発揮し、前記第一トランジスターＱ１はＰＮＰ型であり、前記第二トランジスターＱ２はＮＰＮ型である。前記第一ダイオードＤ１及び前記第二ダイオードＤ２は、ブロックするために用いられる。
【００１９】
前記処理ユニット１０が高レベル信号を出力する場合、前記第一トランジスターＱ１のベースは高レベルであり、前記第一トランジスターＱ１のエミッタは前記電圧源Ｖｃｃに電気的に接続されて高レベルであるので、前記第一トランジスターＱ１のベースとエミッタとの間の電圧は前記第一トランジスターＱ１の導通電圧に下げることができなく、前記第一トランジスターＱ１はオフ状態になる。前記オーディオアンプ３０の静音制御ポート３１は、前記第三レジスターＲ３を介して電気的に接地されるので、低レベル信号を受信する。本実施形態において、前記静音制御ポート３１は高レベル有効であるので、前記処理ユニット１０が高レベル信号を出力する際、前記オーディオアンプ３０は再生状態になり、即ち前記オーディオアンプ３０のオーディオ信号出力ポート３３は増幅されたオーディオ信号を出力する。前記第一トランジスターＱ１がオフされるので、前記第一ダイオードＤ1及び前記第二ダイオードＤ２はオフされて、前記第二トランジスターＱ２のベースとエミッタとの間の電圧は前記第二トランジスターＱ２の導通電圧に下げることができなく、前記第二トランジスターＱ２もオフ状態になる。前記オーディオ信号出力ポート３３と接地との間の電気接続が切られ、前記オーディオ信号出力ポート３３は、増幅されたオーディオ信号を前記オーディオ出力インターフェースユニット４０に完全に出力する。
【００２０】
トランジスターのＰＮ接合特性により、前記第二トランジスターＱ２に逆方向漏れ電流が存在し、漏れ電流は前記第二トランジスターＱ２のコレクタから前記第二トランジスターＱ２のベースに流れて、前記オーディオ信号出力ポート３３から出力される増幅されたオーディオ信号は前記第二トランジスターＱ２を通して分流される。しかし、前記第一ダイオードＤ1及び前記第二ダイオードＤ２はオフされるので、順次に電気的に接続される前記第二トランジスターＱ２、前記第四レジスターＲ４、前記第二ダイオードＤ２、前記第一ダイオードＤ１及び前記第三レジスターＲ３は、回路を形成することができなく、前記オーディオ信号出力ポート３３から出力される増幅されたオーディオ信号は、分流されなく全て前記オーディオ出力インターフェースユニット４０に伝送されて、増幅されたオーディオ信号はディストーション現像を免れ、前記電子装置１００の音質も向上する。
【００２１】
前記処理ユニット１０が低レベル信号を出力する（前記電子装置１００にパワーオンする瞬間にも、前記処理ユニット１０は低レベル信号を出力する）場合、前記第一トランジスターＱ１のベースは低レベルであり、前記第一トランジスターＱ１のエミッタは前記電圧源Ｖｃｃに電気的に接続されて高レベルであるので、前記第一トランジスターＱ１のベースとエミッタとの間の電圧は前記第一トランジスターＱ１の導通電圧に下げることができ、前記第一トランジスターＱ１は導通状態になる。前記オーディオアンプ３０の静音制御ポート３１は、前記第一トランジスターＱ１のコレクタを介して高レベル信号を受信する。本実施形態において、前記静音制御ポート３１は高レベル有効であるので、前記処理ユニット１０が低レベル信号を出力する際、前記オーディオアンプ３０は静音状態になり、即ち前記オーディオアンプ３０のオーディオ信号出力ポート３３は、前記オーディオ出力インターフェースユニット４０に増幅されたオーディオ信号を出力しない。前記第一トランジスターＱ１が導通されるので、前記第一ダイオードＤ1及び前記第二ダイオードＤ２は導通されて、前記第二トランジスターＱ２のベースとエミッタとの間の電圧は前記第二トランジスターＱ２の導通電圧に下げることができ、前記第二トランジスターＱ２も導通状態になる。前記オーディオ信号出力ポート３３は、接地に電気的に接続される。したがって、パワーオンする瞬間、前記オーディオアンプ３０のオーディオ信号出力ポート３３が漏れ電流を出力しても、前記漏れ電流は前記第二トランジスターＱ２を通して接地に釈放され、前記オーディオ信号出力ポート３３と前記オーディオ出力インターフェースユニット４０との間の通信を完全に切り、前記電子装置１００は優れた静音効果を有する。
【００２２】
前記静音制御回路２０が前記第一ダイオードＤ１を備えないと、前記電子装置１００は静音状態から再生状態に切替える時に遅れを経験する。前記電子装置１００が静音状態になり、前記第一トランジスターＱ１が導通される際、前記第一キャパシターＣ１は充電状態になって電気エネルギーを蓄えることができる。前記電子装置１００が静音状態から再生状態に切替えられ、前記第一トランジスターＱ１がオフされる際、電気エネルギーを蓄えた前記第一キャパシターＣ１は電圧源に相当するので、前記第二ダイオードＤ２、前記第二トランジスターＱ２を一定時間内で導通させて、前記オーディオアンプ３０のオーディオ信号出力ポート３３はこの時間内で接地し、前記オーディオ出力インターフェースユニット４０はこの時間内で増幅されたオーディオ信号を受信することができなく、前記電子装置１００の再生が遅れる。しかし、前記静音制御回路２０に前記第一ダイオードＤ１を設置すると、前記第一トランジスターＱ１がオフされる際、前記第一ダイオードＤ１がオフされ、電気エネルギーを蓄えた前記第一キャパシターＣ１と前記第二ダイオードＤ２及び前記第二トランジスターＱ２との間の電気接続が切られ、前記オーディオアンプ３０のオーディオ信号出力ポート３３は、増幅されたオーディオ信号を即時に前記オーディオ出力インターフェースユニット４０に出力する。
【００２３】
上記したように、前記電子装置１００は前記補助回路２３を設置することにより、パワーオンする瞬間、前記オーディオアンプ３０が出力する信号は接地により釈放されて前記オーディオ出力インターフェースユニット４０に伝送されなく、前記電子装置１００に接続される外部再生設備から雑音が出さない。また、前記補助回路２３は、静音状態で前記オーディオアンプ３０を接地に電気的に接続させて、前記電子装置１００は優れた静音効果を有する。また、前記オーディオアンプ３０が増幅されたオーディオ信号を出力する際、前記第一ダイオードＤ１及び前記第二ダイオードＤ２はオフされて、増幅されたオーディオ信号が前記補助回路２３によって分流されなく、増幅されたオーディオ信号はディストーション現像を免れ、前記電子装置１００の音質も向上する。
【００２４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、添付の特許請求の範囲から決まる。
【符号の説明】
【００２５】
１０  電子装置
２０  静音制御回路
２１  メイン回路
２３  補助回路
３０  オーディオアンプ
３１  静音制御ポート
３３  オーディオ信号出力ポート
４０  オーディオ出力インターフェースユニット
１００  電子装置
Ｃ１  第一キャパシター
Ｃ２  第二キャパシター
Ｄ１  第一ダイオード
Ｄ２  第二ダイオード
Ｑ１  第一トランジスター
Ｑ２  第二トランジスター
Ｒ１  第一レジスター
Ｒ２  第二レジスター
Ｒ３  第三レジスター
Ｒ４  第四レジスター
Ｖｃｃ  電源
【図１】
2012023726.tif 000003
【図２】
2012023726.tif 000004